(57)【要約】【目的】本発明は荷物の保持による歩行者の負担を和らげ快適な生活に役立てる、荷物保持および荷物移動器具を提供することを目的とする。【解決手段】歩行者の荷物を保持し、持ち運ぶための荷物保持および運搬器具において、取っ手、荷物保持部、支柱、車輪、を有し、該取っ手、および該荷物保持部を該支柱の上部に配置し、該車輪を該支柱の下部に少なくとも前後に２つ配置し、該荷物保持部は、荷物を保持する事を特徴とし、該車輪は歩行者の荷物を円滑に移動させることを特徴とする荷物保持および運搬器具を提供する。【選択図】　図６
2004001685.tif 000002
【特許請求の範囲】
【請求項１】
歩行者の荷物を保持し、持ち運ぶための荷物保持および運搬器具において、
取っ手、荷物保持部、支柱、車輪、を有し、該取っ手、および該荷物保持部を該支柱の上部に配置し、該車輪を該支柱の下部に少なくとも前後に２つ配置し、該荷物保持部は、荷物を保持する事を特徴とし、該車輪は歩行者の荷物を円滑に移動させることを特徴とする荷物保持および運搬器具。
【請求項２】
該支柱は２本の支柱からなり、それぞれに少なくとも１つ以上の車輪を備えることを特徴とする請求項１に記載の荷物保持および運搬器具。
【請求項３】
該支柱は２本の平行ないし下方に開いた支柱からなり、それぞれの支柱の下部に有する車輪は該歩行者の移動する前方方向の該支柱に対しては、前には球状または楕円状の車輪、後ろには円状の車輪を備え、後方方向の該支柱に対しては２つの車輪を有することを特徴とする請求項１ないし２に記載の荷物保持および運搬器具。
【請求項４】
該支柱は２本の交叉した支柱からなることを特徴とする請求項１ないし２に記載の荷物保持および運搬器具。
【請求項５】
該支柱は通常の歩行者に対して地面から腰ないし腹部ほどの高さに達する長さを持ち、伸縮、折り畳み、または分割することにより携帯性をたかめ、さらには伸縮の程度の調整や数種類の長さの支柱から歩行者の体型に合った支柱を選ぶことにより、歩行者個人個人の体型にあった長さの支柱を実現することを特徴とする請求項１ないし４に記載の荷物保持および運搬器具。
【発明の詳細な説明】
【０００１】
【発明の属する技術分野】
本発明は大きな荷物、重い荷物を、状態を変えずそのまま運ぶことを楽にする器具に属するものである。紙袋やバッグ、あるいはスーパーのビニール袋等がそのまま掛けられ、しかも、最初から引きずらずに買い物の最後にどうしても重くてたまらなくなった時に使用し、それ以外は鞄の中等に携帯し通常の歩行ができることを特徴とする。
【０００２】
【従来の技術】
従来、荷物を運ぶ道具には、下方にかごがついていて斜めに引っ張るものや、乳母車の形に似て寄りかかるように押しているものがある。前者においては、荷物の出し入れが不便であり、また荷物が地面に近いことから雨の日など荷物が汚れてしまう可能性もある。後者においては大きな装置となり、階段やバスの乗り降りは、そのものの重さも加わって大変である。
【０００３】
【発明が解決しようとする課題】
本発明は以上のような点を鑑みてなされたものであり、簡単に荷物が掛けられ、必要なときに使用でき、正常な姿勢で歩行が出来、腕が疲れないようにするような、荷物保持および運搬器具を提供する点にある。
【０００４】
【問題を解決する手段】
本発明が提供する荷物保持および運搬器具は、歩行者の荷物を保持し、持ち運ぶための荷物保持および運搬器具において、
取っ手、荷物保持部、支柱、車輪、を有し、該取っ手、および該荷物保持部を該支柱の上部に配置し、該車輪を該支柱の下部に少なくとも前後に２つ配置し、該荷物保持部は、荷物を保持する事を特徴とし、該車輪は歩行者の荷物を円滑に移動させることを特徴とする。
より好ましくは、該支柱は２本の支柱からなり、それぞれに少なくとも１つ以上の車輪を備えることを特徴とする。
より好ましくは、該支柱は２本の平行ないし下方に開いた支柱からなり、それぞれの支柱の下部に有する車輪は該歩行者の移動する前方方向の該支柱に対しては、前には球状または楕円状の車輪、後ろには円状の車輪を備え、後方方向の該支柱に対しては２つの車輪を有することを特徴とする。
より好ましくは、該支柱は２本の交叉した支柱からなることを特徴とする。
より好ましくは、該支柱は通常の歩行者に対して地面から腰ないし腹部ほどの高さに達する長さを持ち、伸縮、折り畳み、または分割することにより携帯性をたかめ、さらには伸縮の程度の調整や数種類の長さの支柱から歩行者の体型に合った支柱を選ぶことにより、歩行者個人個人の体型にあった長さの支柱を実現することを特徴とする。
【０００５】
【実施例１】
以下、本発明にかかる荷物保持および運搬器具について添付図面を用いて詳細に説明する。まず図１は本実施例に掛かる荷物保持および運搬器具（以下「荷物保持運搬器具」と記載する）の典型的な実施形態である。取っ手１０１は歩行者が手に保持する保持部であり、移動する際には取っ手から歩行者は前に力を加えることにより車輪１０２および１０３を回転させることにより移動させることが可能となる。また取っ手を保持することにより、左右方向（図面においては紙面に対して垂直方向）に、荷物保持運搬器具が倒れることを防ぐ。荷物保持部１０３は、荷物を掛ける部分であり、歩行者が荷物を用意に掛けられるようになっている。本実施例においては支柱１０５および１０６は２本の交叉する支柱となることを特徴とする。このような構成をとることにより、歩行者が前方に移動する際に荷物保持運搬器具が前方に倒れてしまうことを防止することが可能である。なお、前輪１０２は軸にベアリングの入った球状のものにし、方向転換を楽にしてある。球状のものを用いることにより、多少の方向転換ならば本荷物保持運搬器具を少々傾けるだけで十分方向転換が可能となる。後輪１０３は２つ有することによりは歩行の障害にならない程度に間隔を広げ荷物を片側にしか掛けなかった場合でも安定するようにした。さらには階段の上り下りに便利なように交叉している部分の下をもてるように丸く平らにしてある。
【０００６】
また、本実施例において支柱は、複数のものを接合することにより形成する。このような構成をとることにより、使用しないときにはコンパクトにまとめて持ち運ぶことが可能となるためである。本実施例においては接合形態を用いたが、折り畳み方式や、通例にみられるカメラの三脚のような伸縮方式を用いても良いことは言うまでもない。接合（ネジ）部分には、ストッパーをつけ常に望ましい位置で固定されるようになっている。
【０００７】
図３は接合部の模式図である。支柱の接着部分は２〜３ｍｍの補強をしてあり、接合部はネジにより接合され、ストッパー３０１はネジ止めをする際に理想的な位置で止めるためのものである。なお、本実施例におけるような接合形式を用いる場合においては、使用者個人個人の身長に対応するため、棒の長さのことなるものを数組用意してもよい。
【０００８】
図２は荷物保持運搬器具を後方から見た図である。荷物保持部２０４は取っ手２０１の両側についており荷物を２つかけることが可能となる。本実施例においては、車輪部分２０２および２０３は前輪も後輪も４カ所ネジで取り付け、１ｍｍ〜２ｍｍ取り付け面を溝の中に埋め込む形式をとった。
【０００９】
図４は支柱を分割し、折り畳んだ状態を示したものである。取っ手部分はそのまま袋をかけた取っ手４０１として使用し、袋の中には車輪および支柱を入れる。荷物保持運搬器具を納入する袋はビニール製のものを用い、多少の汚れは外に滲まないようにした。また袋を２つのエリアに分けたものとし、片方に荷物保持運搬器具を入れられるようにし、もう一方は荷物を入れられるようにしてもよい。そして荷物保持運搬器具を用いる際には、袋を荷物保持部に掛けて使用する。
【００１０】
図５は、引ったくり防止用のクリップ付きの鎖である。貴重品等引ったくり防止をしたいときは荷物と取っ手の下の部分とに鎖を絡ませてクリップすれば良い。
【００１１】
【実施例２】
以下、本発明にかかる第二の実施例について添付図面を用いて詳細に説明する。
まず、図６は本実施例に掛かる荷物保持運搬器具の実施形態である。取っ手６０１は歩行者が手に保持する保持部であり、移動する際には取っ手から歩行者は前に力を加えることにより車輪６０２および６０３を回転させることにより移動させることが可能となる。また取っ手を保持することにより、左右方向（図面においては紙面に対して垂直方向）に、荷物保持運搬器具が倒れることを防ぐ。荷物保持部６０３は、荷物を掛ける部分であり、歩行者が荷物を用意に掛けられるようになっている。本実施例においては支柱６０５および６０６は２本の下方に開いた支柱となることを特徴とする。このような構成をとることによっても実施例１と同様に、歩行者が前方に移動する際に荷物保持運搬器具が前方に倒れてしまうことを防止することが可能である。なお、前輪６０２は軸にベアリングの入った球状のものにし、方向転換を楽にしてある。球状のものを用いることにより、多少の方向転換ならば本荷物保持運搬器具を少々傾けるだけで十分方向転換が可能となる。また、車輪６１０のように支柱６０５の下に円上の車輪をつけることによりさらに安定させることも可能である。後輪６０３は進行方向と直行する方向に２つ有することによりは歩行の障害にならない程度に間隔を広げ荷物を片側にしか掛けなかった場合でも安定するようにした。さらには階段の上り下りに便利なように支柱６０８の下をもつことも可能である。
【００１２】
また、本実施例においても支柱は実施例１同様、接合形態や折り畳み、伸縮方式を用いても良いことは言うまでもない。
【００１３】
【発明の効果】
以上のような構成をとることにより、重い荷物の運搬、保持がきわめて楽になり、自転車や車に頼らなくても健康的に歩いてショッピングが楽しめるようになり、膝や腰の痛い人にも大きな助けになる。
【００１４】
【図面の簡単な説明】
【図１】本発明にかかる荷物を運ぶ道具の平面図
【図２】本発明にかかる荷物を運ぶ道具の側面図
【図３】棒の接着部分
【図４】携帯時の状態
【図５】防犯用鎖（チェーン）
【図６】本発明に掛かる第二の荷物を運ぶ道具の平面図
【符号の説明】
１０１　取っ手
１０２　車輪
１０３　車輪
１０４　荷物保持部
１０５　支柱
１０６　支柱
２０１　取っ手
２０２　車輪
２０３　車輪
２０４　荷物保持部
３０１　ストッパー
４０１　取っ手
２０３　車輪
２０４　荷物保持部
３０１　ストッパー
４０１　取っ手
６０１　取っ手
６０２　車輪
６０３　車輪
６０４　荷物保持部
６０５　支柱
６０６　支柱
６０７　接合部
６０８　支柱
６０９　支柱
６１０　車輪
【図１】
2004001685.tif 000003
【図２】
2004001685.tif 000004
【図３】
2004001685.tif 000005
【図４】
2004001685.tif 000006
【図５】
2004001685.tif 000007
【図６】
2004001685.tif 000008